(57)【特許請求の範囲】
【請求項１】
処理池内に固定して設置されその少なくとも一側のスカム通口が水面以下に設定されて同通口からのスカムと水とが樋内を通じて流出するようにされた樋状のトラフと、同トラフの前記スカム通口側に位置してその上端が水面を境にして略垂直に上下運動するようにされその上下運動が処理池内で循環駆動されるフライト側の運動に応動するものとされた堰と、同堰を上下に駆動する駆動手段と、前記堰とトラフとの間にトラフ内への水の浸入を阻止するために設けられたシールとを有し、前記堰と駆動手段とは、連動関係を入切可能とされ、堰は、前記駆動手段との連動関係を切状態にされた際に独自に水面のレベル変動に追従し得るようにされる一方、駆動手段との連動関係が入状態になった際に同駆動手段により上下に連動されるようになっているスカム除去装置であって、前記堰は、その外面に係合受部が設けられる一方、駆動手段は、下動時に前記係合受部に離れた位置から係合しその係合を維持しながら堰を下動させてスカムを誘引可能とし、かつ、同駆動手段は、堰とともに上昇して上昇端において係合受部から離脱するようになっていることを特徴とするスカム除去装置。
【請求項２】
処理池内に固定して設置されその少なくとも一側のスカム通口が水面以下に設定されて同通口からのスカムと水とが樋内を通じて流出するようにされた樋状のトラフと、同トラフの前記スカム通口側に位置してその上端が水面を境にして略垂直に上下運動するようにされその上下運動が処理池内で循環駆動されるフライト側の運動に応動するものとされた堰と、同堰を上下に駆動する駆動手段と、前記堰とトラフとの間にトラフ内への水の浸入を阻止するために設けられたシールとを有するスカム除去装置であって、前記駆動手段は、処理池内で回転自在に設けられ外周に多数の突起を備えて同突起にフライト側の係合突起が係合して進行することにより回転し堰側の浮力により回転復帰するようになっている駆動盤を備え、同駆動盤は、その一側に設けられたホイールを経由して掛け回されたチェーンの一端が堰にまた他端が水中のフロートに接続されて堰の上端が水面上に位置するようにバランスを保つようにされていることを特徴とするスカム除去装置。
【発明の詳細な説明】
【０００１】
【発明の属する技術分野】
この発明は、最初あるいは最終沈澱池などの処理池内に設置されて水面に浮遊するスカムを誘引除去するためのスカム除去装置に関する。
【０００２】
【従来の技術】
下水等の浄水設備に構成される沈澱池には、スカムが浮上し浮遊して溜まる。これらのスカムを取り除くためスカム除去装置が構成されているが、その一形式として、固定式のトラフを設置し、同トラフの一側を水面よりも低く設定しておき、同一側に堰を備えて上下運動可能にしたものがある。
この形式のスカム除去装置は、沈澱池内で循環運動されるフライトに連動して堰が浮沈されるようにされ、沈んだ際に水面上のスカムを誘引してトラフを通じて外部にスカムを排出し、浮上によりスカムの誘引を止めるようになっている。
【０００３】
【発明が解決しようとする課題】
ところで、前記堰は、一般に、一定の高さ間を上下するようにされていたため、沈澱池内に多量の汚水が入ってきたりあるいは少なくなってきた場合の水位変動に追従してスカムの除去機能を果たすことができないおそれもあった。
この発明は前記課題を解決するためになされたもので、水位の変動があっても常に確実にスカム除去機能を発揮するスカム除去装置を提供することを目的とする。
【０００４】
【課題を解決するための手段】
前記課題を解決するため、請求項１記載の発明は、処理池内に固定して設置されその少なくとも一側のスカム通口が水面以下に設定されて同通口からのスカムと水とが樋内を通じて流出するようにされた樋状のトラフと、同トラフの前記スカム通口側に位置してその上端が水面を境にして略垂直に上下運動するようにされその上下運動が処理池内で循環駆動されるフライト側の運動に応動するものとされた堰と、同堰を上下に駆動する駆動手段と、前記堰とトラフとの間にトラフ内への水の浸入を阻止するために設けられたシールとを有し、前記堰と駆動手段とは、連動関係を入切可能とされ、堰は、前記駆動手段との連動関係を切状態にされた際に独自に水面のレベル変動に追従し得るようにされる一方、駆動手段との連動関係が入状態になった際に同駆動手段により上下に連動されるようになっているスカム除去装置であって、前記堰は、その外面に係合受部が設けられる一方、駆動手段は、下動時に前記係合受部に離れた位置から係合しその係合を維持しながら堰を下動させてスカムを誘引可能とし、かつ、同駆動手段は、堰とともに上昇して上昇端において係合受部から離脱するようになっていることを特徴とする。
【０００５】
請求項２記載の発明は、処理池内に固定して設置されその少なくとも一側のスカム通口が水面以下に設定されて同通口からのスカムと水とが樋内を通じて流出するようにされた樋状のトラフと、同トラフの前記スカム通口側に位置してその上端が水面を境にして略垂直に上下運動するようにされその上下運動が処理池内で循環駆動されるフライト側の運動に応動するものとされた堰と、同堰を上下に駆動する駆動手段と、前記堰とトラフとの間にトラフ内への水の浸入を阻止するために設けられたシールとを有するスカム除去装置であって、前記駆動手段は、処理池内で回転自在に設けられ外周に多数の突起を備えて同突起にフライト側の係合突起が係合して進行することにより回転し堰側の浮力により回転復帰するようになっている駆動盤を備え、同駆動盤は、その一側に設けられたホイールを経由して掛け回されたチェーンの一端が堰にまた他端が水中のフロートに接続されて堰の上端が水面上に位置するようにバランスを保つようにされていることを特徴とする。
【０００６】
【発明の実施の形態】
以下、図示した実施形態を参照してこの発明を詳細に説明する。
【０００７】
図１ないし図３はその一実施形態を示し、図１は池底駆動型のスカム除去装置の右半分を示す正面図、図２はその平面図、図３は図２のＩＩＩ−ＩＩＩ線に沿う断面図である。
【０００８】
図１および図２においては、後述する駆動手段を除いて中心線Ｏを境に左右線対称になっている。
【０００９】
図１、図２において１は沈澱池の側壁（長辺側の壁）で左右対向状である。
【００１０】
同側壁１を備えた沈澱池内には、４軸式あるいは３軸式の回転軸（図示省略）が配されている。
【００１１】
各回転軸回りには、左右一対ずつスプロケット（図示省略）が装着されている。
【００１２】
これらのスプロケットの回りに左右一対のチェーン２（図３）が巻き掛けられて、その外周に配されたフライト３…が循環駆動されるようになっている。
【００１３】
同フライト３…の全てあるいは１つ置きなど離間して、その側方にはブラケットを介して駆動ローラー４が回転自在に設けられている。
【００１４】
この駆動ローラー４は、前記スプロケットの外周側方を通過するもので、同スプロケットに干渉しないものとなっている。
【００１５】
両側壁１には、ハツリ孔が明けられてフランジ付で角筒形の連通トラフ５が両端突出状に貫通固定されており、これらの対向間にトラフ７がフランジ固定されている。トラフ７は、底壁７ａ、背壁７ｂ、後フランジ７ｃ、および前壁７ｄを一体に備えるもので、水面８下に下半部が没するように設けられている。前壁７ｄの上端は、水面８より１０センチ程度下がった位置にあるとともに、その上端には、前方に上がり傾斜状の前フランジ７ｅが設けられている。
【００１６】
図１に示すように、トラフ７の前面は正面からみてＵ字切欠状にされ、その内周縁にわたって前フランジ７ｅが形成されており、同前フランジ７ｅには、前方から挿し込み式にゴム製のシール９が装着されている。同シール９は、先端９ａが先鋭状になっている。この先端９ａは上下に複数（２〜５）個所にわたって設け、その間に溝を有するものであってもよい。このシール９の内部に形成される口がスカム通口１０になっている。
【００１７】
トラフ７の左右２か所には、上ブラケット１１および下ブラケット１２が設けられ、両ブラケット１１，１２を介して垂直軸状にガイドロッド１３が着脱自在に固定されている。このガイドロッド１３は、丸軸状であるが角形であってもよい。同ガイドロッド１３に沿って上下に案内されるように堰１５が設けられている。
【００１８】
堰１５は、これまで上下揺動型として使用されてきたフロート（ステンレス製）をそのまま垂直上下型として流用したもので、上端は角形であるが下端（あるいは上端のこともある）が丸形になっている。同堰１５のガイドロッド１３に対応する部分には、上下に対応して孔が明けられ、これらの孔を通じて、仕切筒１６が縦軸状に挿通固定されて堰１５内に水が入らないようになっている。
【００１９】
また、堰１５のガイドロッド１３に対応する上下には、図２に示すように堰１５を垂直に上下させるため鼓形をしたガイドローラー１７が上下それぞれ１対ずつ取り付けられており、これらのガイドローラー１７がガイドロッド１３に沿って転動することで堰１５が上下運動するようになっている。
【００２０】
堰１５は、その垂直上下運動を円滑かつ確実にするため前後に複数の前・後ローラー１８，１９が上ブラケット１１および前壁７ｄを利用して設けられている。これらの構成により、堰１５は、垂直に上下運動可能でありしかも中空型であるので水面８に上端一部が常時浮かんだ状態で水位に追従して運動する。上端一部を常に水面８より突出させるため、図示しない水面浮上型の補助フロートを付すことがある一方、堰１５が浮き過ぎる場合はさらにウエイトを付すことがある。これらはあくまでも設計上でバランスを考慮してなされることである。
【００２１】
側壁１にはブラケット２１が突設され、同ブラケット２１の先端を介してガイド筒２２が縦軸状に固定されている。ガイド筒２２は、正面からみて堰１５の右一側前方に対向状にされており、角あるいは丸筒状のものになっている。同ガイド筒２２は、下部が筒状であるが上部は堰１５の向きだけに切欠口２２ａを有するものであり、さらに上端は堰１５の反対側に反り曲がり状の復帰ガイド筒部２２ｂになっている。
【００２２】
このガイド筒２２の内部には、池底から連動ロッド２４が挿し込まれるとともに、同ロッド２４の上端には、切欠口２２ａを通じて前後に出入り可能な係合ロッド２５がピン２６を介して結合されている。係合ロッド２５は、堰１５の前面に縦向きに設けられたチェーン（係合受部）２７に係脱可能な係合突起２５ａを堰１５の側に備えるとともに、同ロッド２５の上端には、復帰ガイド筒部２２ｂに出入り自在な係説用ローラー２８が斜めブラケット２９を介して装着されている。
【００２３】
連動ロッド２４の下端には連動軸３０が設けられている。側壁１には、ブラケット３１が固定され、同ブラケット３１には固定軸３２を介してカム３３が上下揺動可能に支持されているとともに、同カム３３と上下に反対の運動をするように連動板３４が取り付けられている。この連動板３４には長孔３４ａが形成され、同長孔３４ａを介して前記連動軸３０が移動自在に連結されている。尚、カム３３は、連動ロッド２４側を上方に押し上げて図３の水平な姿勢に復帰できるようにバランスされ、そのため、補助ウエイトを付すこともあり、また、連動板３４の上側などにストッパを配置することがある。一方、係脱用ローラー２８が復帰ガイド筒部２２ｂ内に収まることでストッパ機能をする。
【００２４】
駆動ローラー４は、図３に矢印で示すように池底を緩徐な速度で進行してくる。同ローラー４がカム３３に当たる前には、係脱用ローラー２８が復帰ガイド筒部２２ｂ内に収まって係脱ロッド２５もガイド筒２２内に垂直に収まっている。その結果、係合突起２５ａは、チェーン２７から前方に離れており、水位変動があっても堰１５は自由に追従することができる。
【００２５】
駆動ローラー４がカム３３に当たると、同カム３３は持ち上がり、連動板３４は下がる。長孔３４ａと連動軸３０を介して連動ロッド２４が引き下げられるとともに、係合ロッド２５も引き下げられる。係合ロッド２５が下がると、係脱用ローラー２８が復帰用ガイド筒部２２ｂに沿って堰１５の方向に転動してロッド２５は堰１５の方向に斜めに起き上がる。
【００２６】
係合ロッド２５が起き上がることで、係合突起２５ａはチェーン２７の対応する個所に係合したあと、引き下げにより堰１５を引き下げるようになる。これにより、堰１５の上端が水面８より下がりスカムは呑み込まれることになる。堰１５の引き下げ量は常時略一定である。
【００２７】
駆動ローラー４はカム３３を通過すると、同カム３３は下がり、連動板３４は上がるとともに、連動ロッド２４と係合ロッド２５も上がる。この場合、堰１５側は自ら浮上力を備えるもので、係合突起２５ａがチェーン２７に係合しながら持ち上がる。そして、係脱用ローラー２８がガイド筒部２２ｂ内に入り込むと、前記係合が解除されて駆動手段の側と堰１５の側と連動関係が切れ、堰１５は水位追従可能な状態になる。
【００２８】
尚、前記実施形態では、係合受部がチェーン２７であったが、ノコ歯状のもの、ピン状のものであってもよい。また、堰１５側が突起状で相手側がチェーンなどの係合受部であってもよい。さらに、係合部と係合受部とはマグネットでもよい。また、前記実施形態では池底からの駆動方式を示したが、カム３３が水面レベルにあるものでもよい。さらに、駆動ローラー４とカム３３とは上下逆の関係であってもよい。堰１５の中には発泡スチレン等を充填してもよい。また、堰１５は板状のものでもよく、材質もプラスチック、木質でもよい。。
【００２９】
図４に示す実施形態は、堰１５の上下案内構造は前記実施形態と同様であるが、それに関連して、堰１５のブレーキング装置を備えたものである。同ブレーキング装置は、堰１５の上端前面に上下移動調節可能にステー３７を備え、同ステー３７の前側にブレーキ用タンク３８を備えて構成したもので、堰１５の下降に連れて同タンク３８が浮力を発生することでブレーキングされるようになっている。その一方で、同ブレーキ用タンク３８の浮力は、堰１５の浮上を助ける。
【００３０】
尚、タンク３８上には、藻の発生を防止するための藻避けカバー３９を備えてある。また、シール９は仮想線のように上下２段構えにした一体型のものにしてもよい。
【００３１】
図５に示す実施形態は、堰１５の上端にスカムの流れ込みを円滑にしかつ上面にスカムが溜まらないようにする傾斜板４１を装着したものである。尚、藻避けカバー４２を傾斜板４１を利用して付してもよい。
【００３２】
図６に示す実施形態は、前記実施形態による駆動方式とは違って、堰１５にステー４４を取り付けてその上方に水タンク４５を備え付けたものである。水タンク４５は、可撓チューブ４６を介して一定時間帯給水可能である一方、底部に明けた排水口４７を通じて少量の水を排出可能になっている。従って、水タンク４５内に一定時間水が溜まるので、その間堰１５は水面以下に没するのである。そして、給水が止まって一定時間して排水を終えると、堰１５は浮上している。尚、ブレーキ用タンク４８や藻避けカバー４９を備えたりしてもよい。
【００３３】
尚、図示のように、堰１５はその丸い方を上端にしてスカムの流れが円滑で溜まらないようにしてもよい。１５ａは堰１５内の発泡材である。水タンク４５の側面には、図７に示すように、縦向きのスリット５０が形成されており、同スリット５０は、上下移動調節可能な板５１で水のオーバーフローレベルを選択できるようになっている。従って、板５１を上下することで、水タンク４５内に溜まる水の量、すなわち、給水量を自在に調節でき、堰１５の沈み量をこれで決定できる。尚、排水口４７も絞り機構にしてもよい。
【００３４】
図８は別の駆動方式についての実施形態を示す。５３はフライト３に備えた駆動ピン（突起）（あるいは板）である。同ピン５３の通過するところには、外周に多数の水平状の従動ピン（係合突起）５４…を突設した駆動盤５５が軸５６回りに回転自在に設けられている。駆動盤５５の側方には、スプロケット（ホイール）５７が備え付けられ、同スプロケット５７に掛けられたチェーン５８の一端は堰１５側にまた他端はフロート５９で常に一定の浮力の元で吊り上げられている。
【００３５】
６０は浮力補助のための補助フロートであり、フライト３の進行により駆動ピン５３が従動ピン５４を蹴ると駆動盤５５は図の時計針回りに回転させられ、スプロケット５７を同じ方向に回転させる。これにより、チェーン５８を介して堰１５は下降し、スカムを誘引するようになる。一方、駆動ピン５３が駆動盤５５を通過すると、堰１５側の浮力がフロート５９側よりも勝っていることから堰１５は浮上してスカムの流入を止めることになる。尚、駆動盤５５も元に戻る。
【００３６】
ここで、堰１５側とフロート５９側のバランスは水位の変動に連れても常に一定に維持されようとするので、水位変動すると堰１５は上下する。これに伴って駆動盤５５も回転するが、駆動ピン５３に従動ピン５４が常に同様の状態で対向するので、次の駆動に支障はないのである。尚、フロート５９や補助フロート６０の浮力発生量は個数を変えたりして自在にできる。
【００３７】
図９に示す実施形態は、駆動ローラー４が池底を進行する際の運動を利用して軸６１を介してカム６２を上向きに持ち上げ、同カム６２に連結した上下方向の押し上げロッド６３を持ち上げるようにするとともに、同ロッド６３によりカム板６４を回転させて堰１５を押し下げるようにしてある。
【００３８】
カム板６４は、堰１５の上方に横架状に設けられた回転軸６５によって偏心軸状に支持され、同回転軸６５が図示右回りに回転することで、堰１５上のローラー６６を介して堰１５が押し下げられる。この押し下げにより、水面８上のスカムが少量の水とともにトラフ７内に流入してゆく。
【００３９】
駆動ローラー４がカム６２を通過すると、カム６２と押し上げロッド６３の重さによりカム板６４は左回りに戻り回転し、堰１５は自らの浮力（あるいは付加した補助フロートの浮力）で浮上復帰する。この復帰により水面８上のスカムは堰止められる。その他の構成、前ローラー１８、後ローラー１９およびシール９は前記実施形態と同様になっている。
【００４０】
尚、堰１５は上下端部が丸くなっているが、上下ともに角形であったり、あるいは一方のみが角形で他方が丸形であったりする。また、前記実施形態でも同様であるが、水を堰止める上端部分は板状のものでもよい。
【００４１】
また、カム板６４は、堰１５を安定して駆動するために、複数枚配す。例えば、装置の正面からみて２枚あるいは３枚である。
【００４２】
さらに、押し上げロッド６３は長さ調節可能に構成することがある。
また、池底駆動方式においては、回転軸６５が図示の左側でカム６２が右側にくるようにしてもよい。
【００４１】
尚、前記各実施形態および以下の実施形態において池底からの駆動方式を採るものについては、池上にカムを配して堰１５を浮沈させることもある。また、トラフ７は半丸筒形であってもよい。
【００４２】
また、図９の実施形態においては、カム板６４を堰１５の前側に離して配し、堰１５の前面に前記したチェーン２７などの係合受部を配す一方、カム板６４に係合突起（スプロケット歯のようなものやローラーなど）を設けて、カム板６４の偏心回転により同係合突起が係合受部に接近して係合し、さらに回転することで堰１５を押し下げるように水位追従型に構成することができる。
【００４３】
この場合、カム板６４の外周面には、回転軸６５を中心にして同心円上に係合突起を複数形成しておく。このように構成することで、カム板６４側と堰１５側とは一時分離して堰１５は水位に追従動作可能であり、一方、カム板６４の回転に伴いカム板６４が堰１５を駆動自在になるのである。
尚、逆に、カム板６４にチェーン等を配して回転させることで堰１５側の係合受部に係脱自在に構成してもよい。
【００４４】
図１０および図１１に示す実施形態は、トラフ７側に固定側ガイドレール７０を、堰１５側に移動側ガイドレール７１を配してこれらを組み合わせ、ガイドローラー７２により堰１５を円滑に上下運動させるようにしたものである。この実施形態では、前ローラーや後ローラー等は特に必要としない。
【００４５】
トラフ７には、その長手方向の数個所に図１０のような立ち上がり部７３を形成しておき、その前面に前記固定側ガイドレール７０を取り付けてある。立ち上がり部７３以外部分は、図９に示すように水面よりも低く形成され、シールが付されている。前記固定側ガイドレール７０は三角溝を有するものとし、これに嵌まり合う形状をした鼓形の移動側ガイドレール７１を構成することもある。ガイドローラー７２は、固定側ガイドレール７０に備えてもよい。
【００４６】
尚、この実施形態では、水タンク７４を備えて堰１５を浮沈駆動させるようにしてあるが、前記実施形態のように池底あるいは水面上からのカム駆動にしてもよい。
【００４７】
図１２に示す実施形態は、堰１５の側面において同堰１５を上下にガイドするようにしたものである。すなわち、トラフフランジ７７の前端部に固定側ガイドレール７８を、堰１５の左右両端に移動側ガイドレール７９を配してこれらの間にガイドローラー８０を組み合わせたものである。この実施形態は、堰１５の長手方向の長さが短いものについて適用するのが適切であるが、堰１５の後側に受ローラーを配して長い堰１５にもこの実施形態を適用できる。
【００４８】
図１３に示す実施形態は、トラフ８２のスカム通口を前後両側に形成してシール８３をそれぞれの側縁に装着するとともに、後ローラー８４で堰１５を受け止めるようにしてある。８５は側部フレームで、同フレーム８５には、堰１５の長手方向両端に備え付けたガイドローラー８６を案内するガイドレール８７が垂直状に設けられている。
【００４９】
尚、後ローラー８４は、トラフ８２内から門形に立設されたローラーフレーム８８に取り付けられて、トラフ８２の補強メンバーも兼ねている。また、側部フレーム８５は、トラフフランジに代えて構成してもよい。さらに、前後の堰１５は、独立してあるいは同時作動式に浮沈駆動される。この堰動には、池底あるいは水面上からの駆動方式、または給水駆動方式を採用する。
【００５０】
図１４に示す実施形態は、図１３に示す前後両側の他にその左右をも結ぶ平面矩形をした堰１５を配したものである。９０は堰１５のガイドレール（ローラー付）、９１はシール、９２は排水管であり、排水管９２は、図１３に示すトラフ８２の底をさらに深くしたトラフ９３として連通状に接続されている。この実施形態での駆動は、水タンク駆動方式あるいは池底、水面上駆動方式とする。
【００５１】
【発明の効果】
請求項１に記載の発明は、樋状で固定式に設置されその少なくとも一側のスカム通口が水面以下に設定されたトラフと、同トラフの前記スカム通口側に位置してその上端が水面を境にして上下運動するようにされた堰と、同堰を上下に駆動する駆動手段とを備えたスカム除去装置において、前記堰は、略垂直に上下運動するようにされているとともに、同堰と前記トラフとの間には、同トラフ内への水の浸入を阻止するシールが設けられていることを特徴とするので、スカムの誘引が確実で円滑なものになる。
【００５２】
請求項２記載の発明は、請求項１において、堰の上下運動は、処理池内で循環駆動されるフライト側の運動に応動するものとされているので、既設の設備の動力を利用して堰を浮沈駆動させることができて、装置が安価で施工も簡単なものとなる。
【００５３】
請求項３記載の発明は、請求項２において、堰と駆動手段とは、連動関係を入切可能とされ、堰は、前記駆動手段との連動関係を切状態にされた際に独自に水面のレベル変動に追従し得るようにされる一方、駆動手段との連動関係が入状態になった際に同駆動手段により上下に連動されるようになっているので、沈澱池内等の水位が如何に変動しても堰と水面のレベル関係が常に一定を保ち、その状態を基準にして堰が上下運動する。その結果、スカムの確実な呑み込みが常時保証されることになる。
【００５４】
請求項４記載の発明は、請求項３において、堰は、その外面に係合受部が設けられる一方、駆動手段は、下動時に前記係合受部に離れた位置から係合しその係合を維持しながら堰を下動させてスカムを誘引可能とし、かつ、同駆動手段は、堰とともに上昇して上昇端において係合受部から離脱するようになっているので、より具体的な水位追従型であり、確実な作動が約束される。
【００５５】
請求項５記載の発明は、請求項３において、処理池内で回転自在に設けられ外周に多数の突起を備えて同突起にフライト側の係合突起が係合して進行することにより回転し堰側の浮力により回転復帰するようになっている回転盤と、同回転盤の一側に設けられたホイールを経由しその一端が堰にまた他端が水中のフロートに接続されているので、水位追従型のスカム除去装置をより簡単な構造のものとして提供することができる。この構造は、水面近くに回転盤を配したものにも適用がある。
【００５６】
請求項６記載の発明は、請求項１において、駆動手段は、堰内の空間あるいは堰に付帯した水タンク内に給水することで沈み同給水分が逐次流出することで浮上する手段とされているので、前記のような機械的な水位追従型スカム除去装置に比べて、極く簡単な構造になり、トラブルの発生も少なくなる。
【００５７】
請求項８記載の発明は、請求項１から７までのいずれかにおいて、堰には、同堰の沈み速度を緩めるブレーキ手段が設けられているので、堰が緩徐に沈み動作をしてスカムの呑み込みが安定化する。
【図面の簡単な説明】
【図１】この発明の一実施形態であるスカム除去装置の正面図。
【図２】同装置の平面図。
【図３】図２のＩＩＩ−ＩＩＩ線断面図。
【図４】他の実施形態を示す側断面図。
【図５】他の実施形態を示す側断面図。
【図６】他の実施形態である水駆動式スカム除去装置の側断面図。
【図７】同装置の給水制御方式を示す裏面図。
【図８】他の実施形態を示す側断面図。
【図９】他の実施形態を示す側断面図。
【図１０】他の実施形態を示す側断面図。
【図１１】図１０の実施形態の平面図。
【図１２】他の実施形態を示す平面図。
【図１３】他の実施形態を示す側断面図。
【図１４】他の実施形態を示す平面図。
【符号の説明】
３…フライト、７…トラフ、８…水面、１０…スカム通口、１５…堰、２７…チェーン（係合受部）。
【図１】
0003959751.tif 000002
【図２】
0003959751.tif 000003
【図３】
0003959751.tif 000004
【図４】
0003959751.tif 000005
【図５】
0003959751.tif 000006
【図６】
0003959751.tif 000007
【図７】
0003959751.tif 000008
【図８】
0003959751.tif 000009
【図９】
0003959751.tif 000010
【図１０】
0003959751.tif 000011
【図１１】
0003959751.tif 000012
【図１２】
0003959751.tif 000013
【図１３】
0003959751.tif 000014
【図１４】
0003959751.tif 000015